(57)【要約】【目的】所望の光照射範囲と光量を得ると共に生産性を向上する。【構成】ＬＥＤランプ１０のハウジング１２の上面１２Ｃに配設された複数個のＬＥＤバルブ２０から照射された光は、ランプケース２２の内部に配設された耐熱透明プラスッチクで構成され複数の透明体２６により拡散された後、ランプケース２２を通して照射されるようになっている。【選択図】  図１
2004288412.tif 000002
【特許請求の範囲】
【請求項１】
ソケットに着脱自在に装着されるハウジングと、
該ハウジングに配設されたＬＥＤバルブと、
前記ハウジングにおける前記ＬＥＤバルブ配設部を覆うランプケースと、
該ランプケース内に配設され、前記ＬＥＤバルブからの光を拡散するための複数の透明体と、
を有することを特徴とするＬＥＤランプ構造。
【請求項２】
前記透明体は球状であることを特徴とする請求項１に記載のＬＥＤランプ構造。
【請求項３】
前記ＬＥＤバルブが仕様の異なる複数のＬＥＤバルブであることを特徴とする請求項１、２の何れか１項に記載のＬＥＤランプ構造。
【発明の詳細な説明】
【０００１】
【発明の属する技術分野】
本発明はＬＥＤランプ構造に係り、特に、自動車のリヤコンビネーションランプ等に使用されるＬＥＤランプ構造に関する。
【０００２】
【従来の技術】
従来、自動車のリヤコンビネーションランプ等に使用されるＬＥＤランプ構造においては、安価で汎用性に優れたＬＥＤランプ構造を得るために、略半円筒形状に形成した基板上に複数のＬＥＤを光源として配設してなる発光部と、この発光部を導通支持しソケットに着脱自在に装着される口金と、を備えた構成が知られている（例えば、特許文献１参照。）。
【０００３】
【特許文献１】
特開２００１−１２６５１０号公報
【０００４】
【発明が解決しようとする課題】
しかしながら、このようなＬＥＤランプ構造においては、所望の光照射範囲と光量が得られるように、略半円筒形状に形成した基板上に複数のＬＥＤを配設することが難しく、生産性が良くない。
【０００５】
本発明は上記事実を考慮し、所望の光照射範囲と光量が得られ且つ生産性を向上できるＬＥＤランプ構造を得ることが目的である。
【０００６】
【課題を解決するための手段】
請求項１記載の本発明におけるＬＥＤランプ構造は、ソケットに着脱自在に装着されるハウジングと、
該ハウジングに配設されたＬＥＤバルブと、
前記ハウジングにおける前記ＬＥＤバルブ配設部を覆うランプケースと、
該ランプケース内に配設され、前記ＬＥＤバルブからの光を拡散するための複数の透明体と、
を有することを特徴とする。
【０００７】
従って、ＬＥＤバルブから照射された光が複数の透明体により拡散された後、ランプケースを通して照射されることで、所望の光照射範囲と光量が得られる。また、ソケットに着脱自在に装着されるハウジングにおけるＬＥＤバルブ配設部を覆うランプケース内に、ＬＥＤバルブからの光を拡散するための複数の透明体を配設する簡単な構成であるため生産性を向上できる。
【０００８】
請求項２記載の本発明は、請求項１に記載のＬＥＤランプ構造において、前記透明体は球状であることを特徴とする。
【０００９】
従って、請求項１に記載の内容に加えて、複数の透明体をランプケース内に充填する際に、複数の透明体の配設方向を考慮する必要がないため、生産性を更に向上できる。
【００１０】
請求項３記載の本発明は、請求項１、２の何れか１項に記載のＬＥＤランプ構造において、前記ＬＥＤバルブが仕様の異なる複数のＬＥＤバルブであることを特徴とする。
【００１１】
従って、請求項１、２の何れかに１項に記載の内容に加えて、ＬＥＤバルブが仕様の異なる複数のＬＥＤバルブであるため、各ＬＥＤバルブの色、輝度等を変えることで、１つのＬＥＤランプで複数の発光色、輝度等を得られる。
【００１２】
【発明の実施の形態】
本発明におけるＬＥＤランプ構造の第１実施形態を図１〜図３に従って説明する。
【００１３】
図１に示される如く、本実施形態のＬＥＤランプ１０では、自動車の車体側に配設されたリヤコンビネーションランプのソケット（図示省略）に着脱自在に装着されるハウジング１２が、シングル球タイプとされており、従来使用されているフィラメントバルブ用のソケット（図示省略）に着脱可能となっている。
【００１４】
図３に示される如く、ＬＥＤランプ１０のハウジング１２は円柱形状となっており、その下面１２Ａには、＋端子１４が突出形成されている。また、ＬＥＤランプ１０のハウジング１２の側面１２Ｂには、−端子１６が突出形成されている。
【００１５】
図１に示される如く、ＬＥＤランプ１０のハウジング１２の上面１２Ｃには、複数個（本実施形態では３個）の高輝度ＬＥＤバルブ２０が配設されている。
【００１６】
図２に示される如く、本実施形態では、３個のＬＥＤバルブ２０が、ハウジング１２の上面１２Ｃの中心に１個、中心を挟んで直径上に等間隔で２個、直線状に配設されている。
【００１７】
図１に示される如く、ＬＥＤランプ１０は、ハウジング１２におけるＬＥＤバルブ配設部である上面１２Ｃを覆うランプケース２２を備えており、このランプケース２２は耐熱透明プラスッチクで構成されている。なお、このランプケース２２は、従来使用されているフィラメントバルブ用のランプケースと同形状としても良い。
【００１８】
また、ＬＥＤランプ１０のランプケース２２の内部には、複数の透明体２６が個配設されている。これらの透明体２６は球状の耐熱透明プラスッチクで構成されており、ＬＥＤバルブ２０から照射された光を拡散するようになっている。
【００１９】
なお、ＬＥＤランプ１０のランプケース２２の内部に充填する透明体２６の数は、少なすぎると、ＬＥＤランプ１０からの光の発散範囲、即ち、光照射範囲が、従来使用されているフィラメントバルブと比べ狭くなり、多すぎるとＬＥＤランプ１０からの光の発散量、即ち、光量が低下するする。このため、使用する耐熱透明プラスッチクの屈折率及び透過率を考慮して、所望の光照射範囲と光量が得られる数になるように、ランプケース２２の容積に対する透明体２６の大きさが設定されている。
【００２０】
次に本実施形態の作用を説明する。
【００２１】
本実施形態では、ＬＥＤランプ１０のハウジング１２の上面１２Ｃに配設された複数個のＬＥＤバルブ２０から照射された光（図１の矢印）は、ランプケース２２の内部に配設された耐熱透明プラスッチクで構成され複数の透明体２６により拡散された後、ランプケース２２を通して照射される。
【００２２】
この結果、本実施形態のＬＥＤランプ１０では、僅か３個の高輝度ＬＥＤバルブ２０により、従来使用されているフィラメントバルブと比べて大差ない、所望の光照射範囲と光量が得られる。このため、消費電力低減と作成コスト低減を図ることができる。
【００２３】
また、本実施形態のＬＥＤランプ１０では、ハウジング１２におけるＬＥＤバルブ配設部を覆うランプケース２２内に、ＬＥＤバルブ２０からの光を拡散するための耐熱透明プラスッチクで構成され複数の透明体２６を配設する簡単な構成であるため生産性を向上できる。
【００２４】
また、本実施形態のＬＥＤランプ１０では、透明体２６が球状であるため、透明体２６をランプケース２２内に充填する際に、複数の透明体２６の配設方向を考慮する必要がないため、生産性を更に向上できる。
【００２５】
更に、本実施形態のＬＥＤランプ１０は、従来使用されているフィラメントバルブ用のソケット（図示省略）に着脱可能となっているため、汎用性を確保でき且つ、交換作業性も良い。
【００２６】
なお、本実施形態では、図１に示される如く、ＬＥＤランプ１０のハウジング１２をシングル球タイプとしたが、これに代えて、図４に示される如く、ＬＥＤランプ１０のハウジング１２をウェッジ球タイプとし、従来使用されているフィラメントバルブ用のソケット（図示省略）に着脱可能としても良い。
【００２７】
また、本実施形態では、図２に示される如く、３個のＬＥＤバルブ２０を、ハウジング１２の上面１２Ｃの中心に１個、中心を挟んで直径上に等間隔で２個、直線状に配設したが、ＬＥＤバルブ２０の配設形状は、これに限定されず、例えば、図５に示される如く、上面１２Ｃの中心の周りに三角形状に配設する等の他の配設形状としても良い。
【００２８】
また、本実施形態では、図２に示される如く、３個のＬＥＤバルブ２０を使用したが、ＬＥＤバルブ２０の個数は、これに限定されず、図６に示される如く、９個等の他の個数としても良い。
【００２９】
次に、本発明におけるＬＥＤランプ構造の第２実施形態を図７〜図９に従って説明する。
【００３０】
なお、第１実施形態と同一部材に付いては、同一符号を付してその説明を省略する。
【００３１】
図７に示される如く、本実施形態のＬＥＤランプ３８では、３個のＬＥＤバルブ４０、４２、４４が、ストップランプ用ＬＥＤバルブ４０と、尾灯用ＬＥＤバルブ４２、４４との異なるタイプとなっており、ストップランプ用ＬＥＤバルブ４０の仕様（例えば、輝度、照射範囲、色等）と、尾灯用ＬＥＤバルブ４２、４４の仕様とが異なっている。
【００３２】
図８に示される如く、本実施形態のＬＥＤランプ３８では、ストップランプ用ＬＥＤバルブ４０がハウジング１２の上面１２Ｃの中心に配設されており、尾灯用ＬＥＤバルブ４２、４４は、ストップランプ用ＬＥＤバルブ４０を挟んで直径上に等間隔で２個配設されている。
【００３３】
図９に示される如く、本実施形態のＬＥＤランプ３８では、ハウジング１２の下面１２Ａに、ストップランプ用ＬＥＤバルブ４０に通電するためのストップ＋端子４６と、尾灯用ＬＥＤバルブ４２、４４に通電するための尾灯＋端子４８が突出形成されている。また、ハウジング１２の側面１２Ｂには、−端子５０が突出形成されている。
【００３４】
次に本実施形態の作用を説明する。
【００３５】
本実施形態のＬＥＤランプ３８では、第１実施形態の作用効果に加えて、３個のＬＥＤバルブ４０、４２、４４が、ストップランプ用ＬＥＤバルブ４０と、尾灯用ＬＥＤバルブ４２、４４との異なるタイプとなっているため、一つのＬＥＤランプ３８で、異なる発光色、輝度等を得られるので、ストップランプと尾灯とを兼ねることができる。
【００３６】
なお、本実施形態では、図７に示される如く、ＬＥＤランプ３８のハウジング１２をシングル球タイプとしたが、これに代えて、図１０に示される如く、ＬＥＤランプ３８のハウジング１２をウェッジ球タイプとし、従来使用されているフィラメントバルブ用のソケット（図示省略）に着脱可能としても良い。
【００３７】
また、本実施形態では、図８に示される如く、３個のＬＥＤバルブ４０、４２、４４を、ハウジング１２の上面１２Ｃの中心に１個、中心を挟んで直径上に等間隔で２個配設したが、ＬＥＤバルブ４０、４２、４４の配設形状は、これに限定されず、上面１２Ｃの中心の周りに三角形状に配設する等の他の配設形状としても良い。
【００３８】
また、本実施形態では、図８に示される如く、３個のＬＥＤバルブ４０、４２、４４を使用したが、ＬＥＤバルブ４０、４２、４４の個数は、これに限定されず他の個数としても良い。
【００３９】
以上に於いては、本発明を特定の実施形態について詳細に説明したが、本発明はかかる実施形態に限定されるものではなく、本発明の範囲内にて他の種々の実施形態が可能であることは当業者にとって明らかである。例えば、上記各実施形態では、ランプケース２２を耐熱透明プラスッチクで構成したが、これに代えて、ランプケース２２をガラス等の他の部材で構成しても良い。
【００４０】
また、上記各実施形態では、透明体２６を球状の耐熱透明プラスッチクで構成したが、これに代えて、透明体２６をガラス等の他の部材で構成しても良い。更に、透明体２６の形状を多面体等の球状以外の形状としても良い。
【００４１】
また、上記各実施形態では、本発明のＬＥＤランプ構造を自動車のリヤコンビネーションランプに適用したが、本発明のＬＥＤランプ構造は、自動車のリヤコンビネーションランプ以外に懐中電灯等の他のランプにも適用可能である。
【００４２】
【発明の効果】
請求項１記載の本発明におけるＬＥＤランプ構造は、ソケットに着脱自在に装着されるハウジングと、ハウジングに配設されたＬＥＤバルブと、ハウジングにおけるＬＥＤバルブ配設部を覆うランプケースと、ランプケース内に配設され、ＬＥＤバルブからの光を拡散するための複数の透明体と、を有するため、所望の光照射範囲と光量が得られ且つ生産性を向上できるという優れた効果を有する。
【００４３】
また、請求項２記載の本発明は、請求項１に記載のＬＥＤランプ構造において、透明体は球状であるため、請求項１に記載の効果に加えて、生産性を更に向上できるという優れた効果を有する。
【００４４】
請求項３記載の本発明は、請求項１、２の何れか１項に記載のＬＥＤランプ構造において、ＬＥＤバルブが仕様の異なる複数のＬＥＤバルブであるため、請求項１、２の何れかに１項に記載の効果に加えて、１つのＬＥＤランプで複数の発光色、輝度等を得られるという優れた効果を有する。
【図面の簡単な説明】
【図１】本発明の第１実施形態に係るＬＥＤランプ構造を示す側断面図である。
【図２】本発明の第１実施形態に係るＬＥＤランプ構造を示す上面図である。
【図３】本発明の第１実施形態に係るＬＥＤランプ構造を示す下面図である。
【図４】本発明の第１実施形態の変形例に係るＬＥＤランプ構造を示す側断面図である。
【図５】本発明の第１実施形態における他の変形例に係るＬＥＤランプ構造を示す上面図である。
【図６】本発明の第１実施形態における他の変形例に係るＬＥＤランプ構造を示す上面図である。
【図７】本発明の第２実施形態に係るＬＥＤランプ構造を示す側断面図である。
【図８】本発明の第２実施形態に係るＬＥＤランプ構造を示す上面図である。
【図９】本発明の第２実施形態に係るＬＥＤランプ構造を示す下面図である。
【図１０】本発明の第２実施形態の変形例に係るＬＥＤランプ構造を示す側断面図である。
【符号の説明】
１０    ＬＥＤランプ
１２    ハウジング
２０    ＬＥＤバルブ
２２    ランプケース
２６    透明体
３８    ＬＥＤランプ
４０    ストップランプ用ＬＥＤバルブ
４２    尾灯用ＬＥＤバルブ
【図１】
2004288412.tif 000003
【図２】
2004288412.tif 000004
【図３】
2004288412.tif 000005
【図４】
2004288412.tif 000006
【図５】
2004288412.tif 000007
【図６】
2004288412.tif 000008
【図７】
2004288412.tif 000009
【図８】
2004288412.tif 000010
【図９】
2004288412.tif 000011
【図１０】
2004288412.tif 000012